(57)【要約】【課題】着座検出スイッチを配置するスペースを容易に確保することが可能な作業車が要望されている。【解決手段】作業車は、運転者が着座する運転座席７と、運転者が運転座席７に着座したことを検出する着座検出スイッチ１３と、を備えている。運転座席７は、その前端部を支点１１として上下揺動可能に構成されている。着座検出スイッチ１３は、運転座席７に対して後側に配置されている。運転座席７に、運転座席７から後方に向かって着座検出スイッチ１３の上方まで延び出るステー１４が設けられている。ステー１４が運転座席７と共に支点１１周りで下側に揺動して着座検出スイッチ１３に上方から作用することにより、運転者が運転座席７に着座したことが着座検出スイッチ１３によって検出される。【選択図】図２
2020100239.tif 000002
【特許請求の範囲】
【請求項１】
運転者が着座する運転座席と、
運転者が前記運転座席に着座したことを検出する着座検出スイッチと、が備えられている作業車であって、
前記運転座席は、その前端部を支点として上下揺動可能に構成され、
前記着座検出スイッチは、前記運転座席に対して後側に配置され、
前記運転座席に、前記運転座席から後方に向かって前記着座検出スイッチの上方まで延び出るステーが設けられ、
前記ステーが前記運転座席と共に前記支点周りで下側に揺動して前記着座検出スイッチに上方から作用することにより、運転者が前記運転座席に着座したことが前記着座検出スイッチによって検出される作業車。
【請求項２】
運転者が前記運転座席に着座していない状態で前記ステーが前記着座検出スイッチから上方に離間するように、前記ステーを下方から付勢する付勢部材が備えられている請求項１に記載の作業車。
【請求項３】
前記付勢部材は、前記着座検出スイッチによりも前側に配置されている請求項２に記載の作業車。
【請求項４】
前記ステーを下方から支持するマウントゴムが備えられている請求項１から３の何れか一項に記載の作業車。
【請求項５】
前記マウントゴムは、前記着座検出スイッチよりも前側に配置されている請求項４に記載の作業車。
【請求項６】
運転者が前記運転座席に着座していない状態で前記ステーが前記着座検出スイッチから上方に離間するように、前記ステーを下方から付勢する付勢部材が備えられ、
前記付勢部材は、前後方向で前記着座検出スイッチと前記マウントゴムとの間に配置されている請求項５に記載の作業車。
【発明の詳細な説明】
【技術分野】
【０００１】
本発明は、運転者が着座する運転座席と、運転者が運転座席に着座したことを検出する着座検出スイッチと、が備えられている作業車に関する。
【背景技術】
【０００２】
上記のような作業車として、例えば、特許文献１に記載の作業車が既に知られている。特許文献１に記載の作業車には、運転者が着座する運転座席（文献では「操縦シート〔６〕」）と、運転者が運転座席に着座したことを検出する着座検出スイッチ（文献では「着座検出スイッチ〔１３〕」）と、が備えられている。特許文献１に記載の作業車では、着座検出スイッチが運転座席の下方に配置されている。
【先行技術文献】
【特許文献】
【０００３】
【特許文献１】特開２００４−１６１０４９号公報
【発明の概要】
【発明が解決しようとする課題】
【０００４】
特許文献１に記載の作業車において、運転座席の下方には、着座検出スイッチの他、運転座席を支持するための各種の部材が設けられている。このため、着座検出スイッチを配置するスペースを確保するのが容易ではない。
【０００５】
上記状況に鑑み、着座検出スイッチを配置するスペースを容易に確保することが可能な作業車が要望されている。
【課題を解決するための手段】
【０００６】
本発明の特徴は、運転者が着座する運転座席と、運転者が前記運転座席に着座したことを検出する着座検出スイッチと、が備えられている作業車であって、前記運転座席は、その前端部を支点として上下揺動可能に構成され、前記着座検出スイッチは、前記運転座席に対して後側に配置され、前記運転座席に、前記運転座席から後方に向かって前記着座検出スイッチの上方まで延び出るステーが設けられ、前記ステーが前記運転座席と共に前記支点周りで下側に揺動して前記着座検出スイッチに上方から作用することにより、運転者が前記運転座席に着座したことが前記着座検出スイッチによって検出されることにある。
【０００７】
運転座席に対して後側の箇所には、比較的、余裕スペースが存在している。本特徴構成によれば、着座検出スイッチを配置するために、運転座席に対して後側のスペースを利用することにより、着座検出スイッチを配置するスペースを容易に確保することができる。
【０００８】
また、本特徴構成によれば、運転者が運転座席に着座すると、ステーが運転座席と共に支点周りで下側に揺動して着座検出スイッチに上方から作用することになる。これにより、運転者が運転座席に着座したことが着座検出スイッチによって検出されることになる。すなわち、ステーを着座検出スイッチに上方から作用させる簡易な機構によって、運転者が運転座席に着座したことを検出する機構を構築することができる。例えば、着座検出スイッチを備えない作業車において、着座検出スイッチを後付けするのに好都合である。
【０００９】
さらに、本発明において、運転者が前記運転座席に着座していない状態で前記ステーが前記着座検出スイッチから上方に離間するように、前記ステーを下方から付勢する付勢部材が備えられていると好適である。
【００１０】
本特徴構成によれば、運転者が運転座席から離席すると、スプリングの付勢力によって、ステーが着座検出スイッチから上方に離間することになる。これにより、運転者が運転座席に着座していない状態で、着座検出スイッチが誤検出しないようにすることができる。
【００１１】
さらに、本発明において、前記付勢部材は、前記着座検出スイッチによりも前側に配置されていると好適である。
【００１２】
本特徴構成によれば、付勢部材が着座検出スイッチよりもステーの基端部側に位置することになり、ステーを効果的に付勢するのに好都合である。
【００１３】
さらに、本発明において、前記ステーを下方から支持するマウントゴムが備えられていると好適である。
【００１４】
本特徴構成によれば、運転者が運転座席に着座すると、ステーが下方からマウントゴムによって支持されることになる。これにより、ステーから着座検出スイッチに作用する荷重が過大にならないようにすることができる。
【００１５】
さらに、本発明において、前記マウントゴムは、前記着座検出スイッチよりも前側に配置されていると好適である。
【００１６】
本特徴構成によれば、マウントゴムが着座検出スイッチよりもステーの基端部側に位置することになり、ステーを効果的に支持するのに好都合である。
【００１７】
さらに、本発明において、運転者が前記運転座席に着座していない状態で前記ステーが前記着座検出スイッチから上方に離間するように、前記ステーを下方から付勢する付勢部材が備えられ、前記付勢部材は、前後方向で前記着座検出スイッチと前記マウントゴムとの間に配置されていると好適である。
【００１８】
本特徴構成によれば、付勢部材が着座検出スイッチ及びマウントゴムに対してバランスの良い前後位置でステーを付勢することができる。
【図面の簡単な説明】
【００１９】
【図１】トラクタを示す左側面図である。
【図２】運転者が運転座席に着座したことを検出する機構を示す左側面図である。
【図３】制御ブロックを示す図である。
【発明を実施するための形態】
【００２０】
本発明を実施するための形態について、図面に基づき説明する。
【００２１】
図１には、トラクタ（作業車）を示している。本トラクタには、走行機体１が備えられている。走行機体１は、例えば、四輪駆動式の走行機体によって構成されている。走行機体１には、駆動可能かつ操舵可能な左右一対の前輪２Ｆと、駆動可能な左右一対の後輪２Ｂと、が備えられている。
【００２２】
走行機体１の前半部には、原動部３が設けられている。原動部３には、エンジンＥと、エンジンＥを収容するボンネット４と、が備えられている。走行機体１の後半部には、運転者が搭乗する運転部５及び運転部５を覆うキャビン６が設けられている。運転部５には、運転者が着座する運転座席７が備えられている。走行機体１の後端部には、ロータリ耕耘装置等の作業装置（図示省略）が装着されるリンク機構８が設けられている。
【００２３】
本トラクタには、ＧＰＳアンテナユニット９と、慣性計測装置（図示省略）と、が備えられている。ＧＰＳアンテナユニット９は、ＧＰＳ（Ｇｌｏｂａｌ  Ｐｏｓｉｔｉｏｎｉｎｇ  Ｓｙｓｔｅｍ）衛星からの位置情報を受信して、当該受信した位置情報に基づいて走行機体１の位置を測定する装置である。前記慣性計測装置は、走行機体１の慣性情報（ヨー角、ピッチ角、ロール角等）を計測する装置である。本トラクタには、ＧＰＳアンテナユニット９によって測定された走行機体１の位置及び前記慣性計測装置によって計測された走行機体１の慣性情報に基づいて、走行機体１が目標走行経路に沿って走行するように、走行機体１を自動操舵する自動操舵機構１０（図３参照）が備えられている。
【００２４】
図２に示すように、運転座席７は、その前端部を支点１１として上下揺動可能に構成されている。運転座席７の前端部は、フレーム１２に左右方向に延びる軸心Ｘ１周りで揺動可能に支持されている。運転者が運転座席７に着座したことを検出する着座検出スイッチ１３が設けられている。着座検出スイッチ１３は、運転座席７に対して後側に配置されている。運転座席７には、運転座席７の後下部から後方に向かって着座検出スイッチ１３の上方まで延び出るステー１４が設けられている。ステー１４の前端部は、運転座席７の後下部の底面部にボルト１５によって固定されている。
【００２５】
運転者が運転座席７に着座していない状態でステー１４が着座検出スイッチ１３から上方に離間するように、ステー１４を下方から付勢するスプリング１６（付勢部材）が設けられている。スプリング１６は、着座検出スイッチ１３よりも前側に配置されている。
【００２６】
ステーを下方から支持するマウントゴム１７が設けられている。マウントゴム１７は、スプリング１６よりも前側に配置されている。すなわち、マウントゴム１７は、着座検出スイッチ１３よりも前側に配置されている。
【００２７】
着座検出スイッチ１３、スプリング１６及びマウントゴム１７は、後側からこの順で配置されている。すなわち、スプリング１６は、前後方向で着座検出スイッチ１３とマウントゴム１７との間に配置されている。着座検出スイッチ１３、スプリング１６及びマウントゴム１７を支持するフレーム１８が設けられている。フレーム１８は、フレーム１２の後端部から後方に向かって延び出る状態で設けられている。フレーム１８には、運転座席７用のシートベルト１９が取り付けられている。シートベルト１９は、フレーム１８のうちマウントゴム１７よりも前側の部分に取り付けられている。
【００２８】
このような構成によれば、運転者が運転座席７に着座すると、ステー１４が運転座席７と共に支点１１（軸心Ｘ１）周りで下側に揺動して着座検出スイッチ１３に上方から作用（押し作用）することになる。これにより、ステー１４がマウントゴム１７によって下方から支持（弾性的に支持）され、かつ、運転者が運転座席７に着座したことが着座検出スイッチ１３によって検出されることになる。その後、運転者が運転座席７から離席すると、スプリング１６の付勢力によって、ステー１４が運転座席７とともに支点１１（軸心Ｘ１）周りで上側に揺動して着座検出スイッチ１３から上方に離間することになる。
【００２９】
図３に示すように、制御ブロックには、自動操舵機構１０と、着座検出スイッチ１３と、自動操舵機構１０（モータ等）を制御する制御装置２０と、自動操舵機構１０による自動操舵を実行する旨の自動操舵指令を指令するための人為操作式の自動操舵指令具２１と、が備えられている。制御装置２０は、自動操舵機構１０による自動操舵を実行中に、着座検出スイッチ１３によって運転者が運転座席７に着座したことが検出されなくなると、自動操舵機構１０による自動操舵を停止する。制御装置２０は、着座検出スイッチ１３によって運転者が運転座席７に着座したことが検出されない場合において、自動操舵指令具２１から自動操舵指令が指令されたとしても、自動操舵機構１０による自動操舵を実行しない。
【００３０】
〔別実施形態〕
（１）上記実施形態では、スプリング１６が着座検出スイッチ１３よりも前側に配置されている。しかし、スプリング１６は、着座検出スイッチ１３よりも後側に配置されていてもよい。
【００３１】
（２）上記実施形態では、マウントゴム１７が着座検出スイッチ１３よりも前側に配置されている。しかし、マウントゴム１７は、着座検出スイッチ１３よりも後側に配置されていてもよい。
【００３２】
（３）上記実施形態では、スプリング１６が前後方向で着座検出スイッチ１３とマウントゴム１７との間に配置されている。しかし、スプリング１６がマウントゴム１７よりも前側に配置されていてもよい。すなわち、着座検出スイッチ１３、マウントゴム１７及びスプリング１６が後側からこの順で配置されていてもよい。
【００３３】
（４）上記実施形態では、トラクタに、キャビン６が備えられている。しかし、トラクタに、キャビン６が備えられていなくてもよい。この場合、トラクタに、ロプスが備えられていてもよい。
【産業上の利用可能性】
【００３４】
本発明は、トラクタの他、コンバインや田植機にも利用可能である。
【符号の説明】
【００３５】
７  運転座席
１３  着座検出スイッチ
１１  支点
１４  ステー
１６  スプリング（付勢部材）
１７  マウントゴム
【図１】
2020100239.tif 000003
【図２】
2020100239.tif 000004
【図３】
2020100239.tif 000005